(57)【要約】      （修正有）【課題】タイルが下地材から外れて落下することがなく、予めタイルへ固定する作業が不要で、タイルおよび下地材への取り付け作業が極めて容易なタイル取付金具を提供する。【解決手段】下地材５０とタイル４０との間に介在され下地材にタイルを取り付けるためのタイル取付金具１であって、タイル取付金具は、短冊状板材２にて形成されると共に、下端側に設けられ側面視で斜め上方に向って延在する係止片部３と、下地材にタイルを接着する際に接着剤Ｂが流入する接着剤流入穴４と、下地材にタイルを固定するための固定用部材挿入穴５とを有し、係止片部３は、タイルの裏面において幅方向に延在し、かつタイルの裏面側から表面側に斜め上方に向かって形成された取付金具挿入用凹条部４１内に挿入される。【選択図】図６
0003216092.tif 000002
【実用新案登録請求の範囲】
【請求項１】
下地材とタイルとの間に介在され前記下地材に前記タイルを取り付けるためのタイル取付金具であって、該タイル取付金具は、短冊状板材にて形成されると共に、下端側に設けられ側面視で斜め上方に向って延在する係止片部と、前記下地材に前記タイルを接着する際に接着剤が流入する接着剤流入穴と、前記下地材に前記タイルを固定するための固定用部材挿入穴とを有し、前記係止片部は、前記タイルの裏面において幅方向に延在し、かつ前記タイルの裏面側から表面側に斜め上方に向かって形成された取付金具用入用凹条部内に挿入されることを特徴とするタイル取付金具。
【請求項２】
前記タイル取付金具は、ステンレス製板材にて形成されている請求項１に記載のタイル取付金具。
【請求項３】
前記ステンレス製板材は、ＳＵＳ３０４にて形成されている請求項２に記載のタイル取付金具。
【請求項４】
前記タイル取付金具は、湾曲可能な軟質材料にて形成されている請求項１ないし３のいずれかに記載のタイル取付金具。
【請求項５】
前記接着剤流入穴は、複数形成されている請求項１ないし４のいずれかに記載のタイル取付金具。
【考案の詳細な説明】
【技術分野】
【０００１】
本考案は、建築物等の壁面などへの乾式工法またはＰＣ板などの先付け工法に使用して好適なタイル取付金具に関するものである。
【背景技術】
【０００２】
近年、タイル施工技術者の減少、工期短縮またはコスト低減などの要請から、タイルの施工方法として乾式工法やＰＣ板などの先付け工法が一般化している。
これらの工法において下地材にタイルを金具などで固定することが行われており、例えばそのようなタイル取付金具として、特開２００７−１３８４６８号公報のタイル受け具が提案されている。
【０００３】
このタイル受け具８０は、図７に示すように、全体が長方形に形成され中間部が屈曲された板材８１であって、中央上端部に躯体取付け孔８２が設けられると共に、中央部に水平方向に切り起した自重受け片８３が設けられ、さらに、中央下端部にタイル９０裏面に埋設されたインサートナット９１に螺子９２を挿通するための螺子挿通長孔８４が設けられたものである。そして、このタイル受け金具８０を使用して施工する場合は、タイル９０と一体化されたプレート９３の上端部裏面に螺子９２にて板材８１を取付け、接着剤９４をプレート９３の裏面部に塗布した後、下地材９５にタイル９０を貼付け、板材８１の躯体取付け孔８２にビス９６を通してモルタル下地材９５に固定する。さらに、上段のタイル９０及びプレート９３を板材８１の自重受け片８３上に載置し、上下のタイル９０間に柔軟目地材９７を充填することによりタイル９０を取り付ける。
【０００４】
しかし、このタイル受け具８０によるタイル取付構造では、タイル９０はプレート９３を板材８１の自重受け片８３上に載置するのみで保持されているので、タイル９０が外れて落下するおそれがあった。また、タイル９０とタイル受け具８０とを螺子９２で固定した後、板材８１の躯体取付け孔８２にビス９６を通し下地材９５に固定する必要があり、取り付け作業が煩雑であった。
【先行技術文献】
【特許文献】
【０００５】
【特許文献１】特開２００７−１３８４６８号公報
【考案の概要】
【考案が解決しようとする課題】
【０００６】
そこで、本考案の課題は、タイルが下地材から外れて落下することがなく、予めタイルへ固定する作業も不要で、タイルおよび下地材への取り付け作業が極めて容易なタイル取付金具を提供することにある。
【課題を解決するための手段】
【０００７】
上記課題を解決するものは、下地材とタイルとの間に介在され前記下地材に前記タイルを取り付けるためのタイル取付金具であって、該タイル取付金具は、短冊状板材にて形成されると共に、下端側に設けられ側面視で斜め上方に向って延在する係止片部と、前記下地材に前記タイルを接着する際に接着剤が流入する接着剤流入穴と、前記下地材に前記タイルを固定するための固定用部材挿入穴とを有し、前記係止片部は、前記タイルの裏面において幅方向に延在し、かつ前記タイルの裏面側から表面側に斜め上方に向かって形成された取付金具用入用凹条部内に挿入されることを特徴とするタイル取付金具である。
【０００８】
前記タイル取付金具は、ステンレス製板材にて形成されていることが好ましい。前記ステンレス製板材は、ＳＵＳ３０４にて形成されていることが好ましい。前記タイル取付金具は、湾曲可能な軟質材料にて形成されていることが好ましい。前記接着剤流入穴は、複数形成されていてもよい。
【考案の効果】
【０００９】
請求項１に記載したタイル取付金具によれば、タイルが下地材から外れて落下することがなく、予めタイルへ固定する作業も不要で、タイルおよび下地材への取り付け作業が極めて容易となる。
請求項２または３に記載したタイル取付金具によれば、強靱性に優れたタイル取付金具となる。
請求項４に記載したタイル取付金具によれば、隣接するタイル同士の表面側の高さを面一に微調整することができる。
請求項５に記載したタイル取付金具によれば、タイルが下地材から外れて落下することをより防止できる。
【図面の簡単な説明】
【００１０】
【図１】本考案のタイル取付金具の一実施例の正面図である。
【図２】図１の右側面図である。
【図３】図１に示したタイル取付金具の作用を説明するための右側面図である。
【図４】図１に示したタイル取付金具の使用方法を説明するための説明図であり、タイル取付金具を裏面に取り付けたタイルの背面図である。
【図５】図４のＡ−Ａ線拡大断面図である。
【図６】図１に示したタイル取付金具の使用した下地材へのタイル取付け構造を説明するための縦断面図である。
【図７】従来のタイル取付金具およびタイル取付構造を説明するための縦断面図である。
【考案を実施するための形態】
【００１１】
本考案では、短冊状板材２にて形成されると共に、下端側に設けられ側面視で斜め上方に向って延在する係止片部３と、下地材５０にタイル４０を接着する際に接着剤Ｂが流入する接着剤流入穴４と、下地材５０にタイル４０を固定するための固定用部材挿入穴５とを有し、係止片部３は、タイル４０の裏面４０ａにおいて幅方向に延在し、かつタイル４０の裏面４０ａ側から表面４０ｂ側に向かって斜め上方に形成された取付金具用入用凹条部４１内に挿入されることで、予めタイルへ固定する作業が不要で、タイルおよび下地材への取り付け作業が極めて容易なタイル取付金具を実現した。
【実施例１】
【００１２】
本考案のタイル取付金具を図１ないし図６に示した一実施例を用いて説明する。
この実施例のタイル取付金具１は、下地材５０とタイル４０との間に介在され下地材５０にタイル４０を取り付けるためのタイル取付金具であって、タイル取付金具１は、短冊状板材２にて形成されると共に、下端側に設けられ側面視で斜め上方に向って延在する係止片部３と、下地材５０にタイル４０を接着する際に接着剤Ｂが流入する接着剤流入穴４と、下地材５０にタイル４０を固定するための固定用部材挿入穴５とを有し、係止片部３は、タイル４０の裏面４０ａにおいて幅方向に延在し、かつタイル４０の裏面４０ａ側から表面４０ｂ側に斜め上方に向かって形成された取付金具用入用凹条部４１内に挿入される。以下、各構成について順次詳述する。
【００１３】
この実施例のタイル取付金具１は、図６に示すように、下地材５０とタイル４０との間に介在され、下地材５０にタイル４０を取り付けるためのものである。
【００１４】
タイル取付金具１は、ステンレス製板（ＳＵＳ３０４）にて形成されており、タイル４０を保持した状態でも経時的に変形または分断しない強靭性を備えている。なお、この実施例のタイル取付金具１は、図１に示すように、正面視で短冊形状(長尺状矩形：長さ８５ｍｍ，幅１５ｍｍ、厚さ０．５ｍｍ)に形成されている。
【００１５】
また、タイル取付金具１は、ステンレス製板であって、指で湾曲可能な軟質材料にて形成されており、図３に示すように、上部付近を厚さ方向に湾曲させることで、隣接するタイル同士の表面側の高さを面一に微調整することができる。
【００１６】
係止片部３は、図４および図５に示すように、タイル４０の裏面４０ａにおいて幅方向に延在し、かつ裏面側から表面側に斜め上方（この実施例では約４５゜斜め上方）に向かって形成された取付金具挿入用凹条部４１内に挿入されて固定される部位であり、タイル取付金具１の下端片部を幅方向に沿って屈曲させて形成されており、図２に示すように側面視で板状体の延在方向に対して約５０゜斜め上方に向かって突出するように形成されている。そして、タイル取付金具１は、この係止片部３によってタイル取付金具１をタイル４０に係止させることができるように構成されている。
【００１７】
また、タイル取付金具１は、図５に示すように、タイル４０の裏面４０ａに沿って配されるため、タイル取付金具１をタイル４０の裏面４０ａに固定しても、ステンレス製板材の厚さ分（この実施例では約０．５ｍｍ）裏面４０ａ側に突出するのみで嵩張らないことから、保管または搬送も容易である。
【００１８】
接着剤流入穴４は、下地材５０にタイル４０を接着する際に接着剤Ｂが流入する部位であり、図６に示すように、接着剤Ｂが流入して硬化することでタイル４０の落下がより防止される。なお、この実施例の接着剤流入穴４は、図１に示すように、一つであるが、これに限定されるものではなく、複数設けられたものも本考案の範疇に包含される。これにより、接着剤流入穴内に流入して硬化する接着剤が複数存在してそれぞれがタイルを係止するため、タイルが下地材から外れて落下することがより防止される。
【００１９】
固定用部材挿入穴５は、図６に示すように、固定用部材６０を挿通させてタイル取付金具１を下地材５０に固定するための部位であり、この実施例では、タイル取付金具１の上部に設けられている。そして、本考案のタイル取付金具１は、このような固定用部材挿入穴５を有することにより、下地材５０に直接固定するものであるため、ピアノ線などを使用することもないため下地材への固定がより容易となる。
【００２０】
つぎに、本考案のタイル取付金具１の使用方法について説明する。
このタイル取付金具１を使用するには、予めタイル４０の裏面４０ａにタイル取付金具１を接着固定する必要はなく、下地材５０にタイル４０を固定する現場において、図４に示すように、タイル４０の裏面４０ａに接着剤Ｂを塗布した状態で、タイル取付金具１の係止片部３を取付金具挿入用凹条部４１内に挿入して、タイル４０の裏面４０ａに面当接させる。この時、接着剤Ｂが接着剤流入穴４内に流入し、この状態で下地材５０にタイル４０を押圧して貼付する。隣接するタイル同士の間で高さ調整する場合は、図３に示すように、上部を湾曲させて微調整し、図６に示すように、固定用部材６０にて下地材５０に固定する。下地材５０へのタイル貼付が終了したら目地に目地充填材７０を充填して硬化させる。なお、タイルが大型タイルの場合は、一本の取付金具挿入用凹条部内に複数のタイル取付金具が挿入されて使用されてもよく、複数の取付金具挿入用凹条部内にそれぞれ一つのタイル取付金具が挿入されて使用されてもよい。
【００２１】
以上のように、本考案のタイル取付金具１は、短冊状板材２にて形成されると共に、下端側に設けられ側面視で斜め上方に向って延在する係止片部３と、下地材５０にタイルを接着する際に接着剤Ｂが流入する接着剤流入穴４と、下地材５０にタイル４０を固定するための固定用部材挿入穴５とを有し、係止片部３は、タイル４０の裏面４０ａにおいて幅方向に延在し、かつタイル４０の裏面４０ａ側から表面４０ｂ側に向かって斜め上方に向かって形成された取付金具用入用凹条部４１内に挿入されて係止するものであるため、予めタイル４０へ固定する作業が不要で、下地材５０へのタイル貼付の際に、その接着剤Ｂを用いてタイル４０に固定され、タイル４０および下地材５０への取り付け作業が極めて容易である。また、予め接着材でタイルへ固定したものが硬化するまで待つ必要もなく工期を短縮できる。さらに、予め接着材でタイルへ固定したものを輸送する必要もない。さらに、接着剤流入穴内に流入して硬化した接着剤が係止部として機能するため、タイルの落下がより防止される。
【符号の説明】
【００２２】
１  タイル取付金具
２  短冊状板材
３  係止片部
４  接着剤流入穴
５  固定用部材挿入穴
４０  タイル
４１  取付金具挿入用凹条部
５０ 下地材
【図１】
0003216092.tif 000003
【図２】
0003216092.tif 000004
【図３】
0003216092.tif 000005
【図４】
0003216092.tif 000006
【図５】
0003216092.tif 000007
【図６】
0003216092.tif 000008
【図７】
0003216092.tif 000009